(57)【要約】【課題】装置本体内の限られた収容スペースを減ずることなく、しかも部品点数の増大と、それに伴う製造手数の増大を招くことなく、装置本体内の前面開口内に配置されたプリンタを引き出し自在に構成してメンテナンス作業性を向上することができる金銭取扱い装置を提供する。【解決手段】前面開口１Ａを有した装置本体１と、該装置本体内部の収納位置から前方へ引き出した引き出し位置との間を進退自在に支持されたユニット１１と、該装置本体内に配置されたプリンタ２０と、該装置本体の前面開口を横方向に開閉するために側部端縁を装置本体によって軸支されたドア２と、を備え、ユニットとプリンタを一体化し該ユニットと共に該プリンタを前方へ引き出し自在に構成した。【選択図】図２
2007140585.tif 000002
【特許請求の範囲】
【請求項１】
前面に開口を有した装置本体と、該装置本体内部の収納位置から前方へ引き出した引き出し位置との間を進退自在に支持されたユニットと、該装置本体内に配置されたプリンタと、該装置本体の前面開口を横方向に開閉するために側部端縁を装置本体によって軸支されたドアと、を備え、
前記ユニットと前記プリンタを一体化し該ユニットと共に該プリンタを前方へ引き出し自在に構成したことを特徴とする金銭取扱い装置。
【発明の詳細な説明】
【技術分野】
【０００１】
本発明は、自動販売機、両替機、金銭払出装置、精算機等の金銭取扱い装置の改良に関し、特に装置本体内の前面開口内に配置された業務管理用プリンタの占有スペースを増大させることなくその操作性を改善することを可能とした金銭取扱い装置に関する。
【背景技術】
【０００２】
セルフ給油方式を採用したガソリンスタンドでは、更なるコスト低減を図るために複数の給油機に対して、単数又は少数の精算機を別構成にして設置したシステムを採用することが多い。この給油システムにおいては、利用者が給油機の金銭投入口に金銭を投入してから給油操作を行った際に釣銭がある場合においても、給油機自体からは釣銭は払い出されず、釣銭に関する情報をバーコードにより記録したレシートを給油機から発行する。釣銭の払出しは、給油機から離間した箇所に別途設置された精算機により行われる。
利用者は精算機のレシート挿入口内にレシートを挿入して、挿入口内に配置されたバーコードリーダからの検知用のレーザ光をレシートのバーコード部分に照射させることによって釣銭に関する情報の読取りを受ける。精算機側では、レシート上のバーコードから読取った釣銭情報に基づいて払出口に釣銭を払い出す。このように給油機毎に精算機を設けずに、複数の給油機に共通する一台、或いは少数の精算機によって釣銭を払い出すように構成することによって、給油機の装置構成を簡略化すると共に管理手数を低減して、コストダウンを図ることが可能となる（特許文献１、２）。
図３（ａ）は精算機の外観図（正面図）であり、この精算機は、装置本体１の前面に開閉自在なドア（外装体）２を備え、このドア２の前面にはレシート挿入口３、紙幣払出口４、硬貨払出口５、払出し金額等の表示部６等が装備されている。
図３（ｂ）はドア２を開放した時に前面開口１Ａから露出する装置本体１の内部構成を示しており、レシート挿入口３の直上に相当する位置にはバーコードリーダ１０が配置され、紙幣払出口４の内側に相当する位置には紙幣払出口に払出し用の紙幣を供給する紙幣ユニット（金銭払出装置）１１が配置され、硬貨払出口５の内側に相当する位置には硬貨払出口に払出し用の硬貨を供給する硬貨払出ユニット（金銭払出装置）１５が配置されている。また、装置本体内の上部空間には業務用のプリンタ７が配置されている。このプリンタ７は上面に印字用紙の出力口７ａを備え、管理用データ（帳票類）を記録した印字用紙がこの出力口７ａから上方へ向けて出力される。
紙幣ユニット１１と硬貨払出ユニット１５は、何れもメンテナンス時の作業性を高めるために図示した収納位置から前方へ突出した位置との間を進退自在に図示しないガイドレールによって支持されている。これらのユニット１１、１５は、下方に配置されたユニットドア８を下部に設けたヒンジ８ａによって前方へ開放することにより、前方へ引き出すことが可能となる。
【０００３】
上記従来の金銭取扱い装置にあっては、プリンタ７を配置するスペースの確保が困難である。即ち、プリンタ７を装置内に固定配置した場合にはプリンタを操作するためのスペースや、上面の出力口７ａから出力される印字用紙を取り出すためのスペースをプリンタ周辺、特に上方に確保する必要があるために、そのスペースの分だけ装置本体の大型化、他のユニット、部品のレイアウトに対する制限、という問題が生じる。
このような不具合に対処するためには、図３（ｂ）に示したように専用のガイドレール９を設けてプリンタ７を前方へ引き出し自在に構成すると共に、常時においてプリンタ７が前方へ突出してくることを防止するためのロック手段を設ける必要があるが、ガイドレール９やロック手段を設ける分だけ部品コスト、組立て手数が増大するという不具合があるばかりでなく、ロック手段を解除してプリンタ７を前方へ引き出した上でプリンタ７を操作したり、出力口７ａから出力された印字用紙を取り出すという作業は極めて煩雑であり、この点の改善が強く望まれていた。
【特許文献１】特開平８−１１９３９６号公報
【特許文献２】特開２００５−４７５５８公報
【発明の開示】
【発明が解決しようとする課題】
【０００４】
上記のように従来の金銭取扱い装置に装備されるプリンタにあっては、その周辺に操作のためのスペースや出力された印字用紙を取り出す作業のためのスペースを確保する必要から、広い収納スペースを確保する必要があり、その分だけ装置本体の大型化、周辺ユニットのレイアウト自由度の低下、という不具合をもたらしていた。一方、プリンタだけを独自に引き出し自在に構成した場合には、部品点数の増大と、メンテナンス手数の増大という不具合をもたらしていた。
本発明は上記に鑑みてなされたものであり、装置本体内の限られた収容スペースを減ずることなく、しかも部品点数の増大と、それに伴う製造手数の増大を招くことなく、装置本体内の前面開口内に配置されたプリンタを引き出し自在に構成してメンテナンス作業性を向上することができる金銭取扱い装置を提供することを目的としている。
【課題を解決するための手段】
【０００５】
上記目的を達成するため、請求項１の発明は、前面に開口を有した装置本体と、該装置本体内部の収納位置から前方へ引き出した引き出し位置との間を進退自在に支持されたユニットと、該装置本体内に配置されたプリンタと、該装置本体の前面開口を横方向に開閉するために側部端縁を装置本体によって軸支されたドアと、を備え、前記ユニットと前記プリンタを一体化し該ユニットと共に該プリンタを前方へ引き出し自在に構成したことを特徴とする。
【発明の効果】
【０００６】
以上のように本発明によれば、装置本体内部の収納位置から前方へ引き出した引き出し位置との間を進退自在に支持されたユニットとプリンタを一体化しユニットと共にプリンタを前方へ引き出し自在に構成したので、装置本体内の限られた収容スペースを減ずることなく、しかも部品点数の増大と、それに伴う製造手数の増大を招くことなく、メンテナンス作業性を向上することができる。
【発明を実施するための最良の形態】
【０００７】
以下、本発明を図面に示した実施の形態により詳細に説明する。
図１（ａ）及び（ｂ）は本発明の一実施形態に係る金銭取扱い装置の正面図、及びドアを開放した状態を示す図である。また、図２はプリンタを引き出し自在に構成した一例の側面図である。
図１（ａ）に示すようにこの精算機は、装置本体１の前面に開閉自在なドア（外装体）２を備え、このドア２の前面にはレシート挿入口３、紙幣払出口４、硬貨払出口５、払出し金額等の表示部６等が装備されている。
また、前面開口１Ａを有した装置本体１内には、バーコードリーダ１０、紙幣ユニット１１、硬貨払出ユニット１５、プリンタ２０が配置されている。前面開口１Ａの側端縁に設けたヒンジ部によりドア２が開閉自在に軸支されている。
紙幣ユニット１１と硬貨払出ユニット１５は、図示しないガイドレールによって、図示した収納位置から前方へ突出した引き出し位置との間を進退自在に構成されている。ヒンジ８ａによって前後方向へ開閉自在に支持されたユニットドア８は図示の閉止状態にあるときには紙幣ユニット１１と硬貨払出ユニット１５の引き出しを阻止する一方で、前方へ開放したときには両ユニットを引き出し可能な状態にする。
プリンタ２０は上面に印字用紙の出力口２０ａを備え、管理用データ（帳票類）を記録した印字用紙がこの出力口２０ａから上方へ向けて出力される。
【０００８】
本発明の特徴的な構成は、プリンタ２０を前後方向へ引き出し自在に構成されたユニットの一つ、この例では紙幣ユニット１１の上面に固定配置することにより、プリンタ２０を紙幣ユニット１１と共に引き出し自在に構成した点にある。
即ち、ドア２を開放した時点では紙幣ユニット１１は図２に破線で示した収納位置にあるが、メンテナンス時には同図に実線で示したようにユニットドア８を開放することによって前面開口よりも前方へ引き出すことが可能となる。紙幣ユニット１１の上面に搭載したプリンタ２０は、紙幣ユニット１１の引き出し時に一体的に引き出された状態となるため、プリンタの左右上下前後方向の空間が拡大された状態となる。従って、プリンタ２０に対する各種操作、特に出力口２０ａから出力される印字用紙の取出しが容易となる。
一方、プリンタ収納時には、他のユニット、部品類と干渉しない範囲でプリンタを近接配置することができるため、装置本体内の限られたユニット収容スペースを減ずることなくプリンタ収納スペースを各所することが可能となる。従って、装置全体の大型化を防止できる。
なお、上記実施形態ではプリンタ２０を紙幣ユニット１１上に搭載したが、プリンタ２０を搭載するユニットは紙幣ユニット１１に限られる訳ではなく硬貨払出ユニット１５、その他、引き出し自在に構成されているユニットに対して搭載することが可能である。
なお、本発明の金銭取扱い装置は、ガソリンスタンドに設置される精算機ばかりでなく、金融機関のＡＴＭや券売機や自動販売機等の金銭取扱い装置一般に適用することができる。
【図面の簡単な説明】
【０００９】
【図１】（ａ）及び（ｂ）は本発明の一実施形態に係る金銭取扱い装置の正面図、及びドアを開放した状態を示す図。
【図２】プリンタの収納状態と引き出し状態を示す側面図。
【図３】（ａ）は従来の精算機の外観図（正面図）、（ｂ）はドアを開放した時に筐体の前面開口から露出する装置本体の内部構成を示す図。
【符号の説明】
【００１０】
１…装置本体、１Ａ…前面開口、２…ドア、３…レシート挿入口、４…紙幣払出口、
５…硬貨払出口、６…表示部、７…プリンタ、７ａ…出力口、８…ユニットドア、
８ａ…ヒンジ、９…ガイドレール、１０…バーコードリーダ、１１…紙幣ユニット、１５…硬貨払出ユニット、２０…プリンタ、２０ａ…出力口。
【図１】
2007140585.tif 000003
【図２】
2007140585.tif 000004
【図３】
2007140585.tif 000005